(57)【要約】【課題】本発明の課題は、高い滑り止め効果及び良好な把持感触を得られるとともに、クラックの発生し難い板状突起を有する筆記具のグリップを簡単な構造で提供することにある。【解決手段】本発明は、前記課題を解決するために、軸筒の把持部に装着する、軟質材からなる筆記具のグリップにおいて、前記グリップの表面に、周方向及び／または軸心方向に延びる溝を複数本形成して、複数の板状突起を設けるとともに、前記板状突起の側面に、凹部及び／又は凸部を形成したことを特徴とする。【選択図】図１
2009262392.tif 000002
【特許請求の範囲】
【請求項１】
軸筒の把持部に装着する、軟質材からなる筆記具のグリップにおいて、前記グリップの表面に、周方向及び／または軸心方向に延びる溝を複数本形成して、複数の板状突起を設けるとともに、前記板状突起の側面に、凹部及び／又は凸部を形成したことを特徴とする筆記具のグリップ。
【請求項２】
前記凹部及び／又は凸部が、前記板状突起の側面に、非連続的に形成してあることを特徴とする請求項１に記載の筆記具のグリップ。
【請求項３】
前記凹部及び／又は凸部が、曲面状からなることを特徴とする請求項１または２に記載の筆記具のグリップ。
【請求項４】
前記凹部及び／又は凸部が、前記板状突起の側面と天面の交差する部分に形成してあることを特徴とする請求項１ないし３の何れか１項に記載の筆記具のグリップ。
【請求項５】
前記グリップが、透明又は半透明からなることを特徴とする請求項１ないし４の何れか１項に記載の筆記具のグリップ。
【発明の詳細な説明】
【技術分野】
【０００１】
本発明は、軸筒の把持部に装着する、軟質材からなる筆記具のグリップに関する。
【背景技術】
【０００２】
従来から、軸筒の把持部に装着する、軟質材からなる筆記具のグリップはよく知られている。
【０００３】
こうした筆記具のグリップにおいて、把持した時の滑り止め効果の向上及び把持感触を向上するため、特開平８−３５７３２２号公報「筆記具のグリップ」や特開２００３−１５４７８２号「グリップ」等に、グリップの表面に溝を形成している筆記具のグリップが開示されている。
【０００４】
また、特開２０００−３２６６８２号公報「筆記具の筆記軸体」では、適度なクッション効果を得るために、溝の形成位置や溝の深さ、溝の幅等を特定している。
【０００５】
このように、溝を形成したグリップにおいて、より高い滑り止め効果及び良好な把持感触を得るには、溝を形成することによって得られる板状突起を変形し易くすることが重要であるが、板状突起を変形し易くするためには、前述した特許文献１から３のように、溝の幅や深さを大きくすること、あるいは使用する材質を軟らかいものにすることが考えられる。
【特許文献１】特開平８−３５７３２２号公報
【特許文献２】特開２００３−１５４７８２号公報
【特許文献３】特開２０００−３２６６８２号公報
【発明の開示】
【発明が解決しようとする課題】
【０００６】
しかし、溝の幅や深さを大きくするには、グリップ外径を大きくする必要があり、小径のグリップ部材では困難であった。また、硬度を特定すると使用できる軟質材が制限されてしまう等の問題があった。
【０００７】
さらに、特許文献１〜３では、板状突起を周方向など、一定方向に併設してあるため、板状突起が変形して倒れ込むことで、滑り止め効果を得ているが、抵抗が少ないという問題があった。
【０００８】
本発明の目的は、高い滑り止め効果及び良好な把持感触を得られるとともに、クラックの発生し難い板状突起を有する筆記具のグリップを簡単な構造で提供することにある。
【課題を解決するための手段】
【０００９】
本発明は、軸筒の把持部に装着する、軟質材からなる筆記具のグリップにおいて、前記グリップの表面に、周方向及び／または軸心方向に延びる溝を複数本形成して、複数の板状突起を設けるとともに、前記板状突起の側面に、凹部及び／又は凸部を形成したことを特徴とする。
【００１０】
また、前記凹部及び／又は凸部が、前記板状突起の側面に、非連続的に形成してあることを特徴とする。
【００１１】
また、前記凹部及び／又は凸部が、曲面状からなることを特徴とする。
【００１２】
さらにまた、前記凹部及び／又は凸部が、前記板状突起の側面と天面の交差する部分に形成してあることを特徴とする。
【００１３】
さらにまた、前記グリップが、透明又は半透明からなることを特徴とする。
【００１４】
本発明の軟質材には、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップ部材として一般的に知られている弾性体のなかから適宜選定して用いることができる。
【発明の効果】
【００１５】
本発明は、高い滑り止め効果及び良好な把持感触を得られるとともに、クラックの発生し難い板状突起を有する筆記具のグリップを簡単な構造で提供することができた。
【発明を実施するための最良の形態】
【００１６】
次に図面を参照しながら、本発明の筆記具の実施例を説明するが、本発明は以下の実施例に限定されるものではない。
【００１７】
実施例１
図１、２に示す実施例１の筆記具のグリップ１は、ショアー硬度がＨｓ（ＪＩＳ  Ａ）７０の半透明のシリコーンゴムにて押出成形してある。また、グリップ１の表面には、軸心方向に沿って延びる溝２を複数本、形成して複数の板状突起１ａを設け、この板状突起１ａの側面１ｂに、凸部１ｃを複数個形成してある。
【００１８】
板状突起１ａの側面１ｂに、凸部１ｃを複数個形成することによって、板状突起１ａが変形することによって生じる抵抗に加え、凸部１ｃによる抵抗も付与されるため、滑り止め効果が向上する効果を奏する。
【００１９】
図３は、実施例１の筆記具のグリップ１を装着したノック式ボールペンを示す。このノック式ボールペンは、前軸３と後軸４を螺着して軸筒本体を形成する。前軸３の把持部は、外径が小径に形成してあり、この把持部に、実施例１の筆記具グリップ１を装着してある。
【００２０】
また、前軸３には、口先部材５を螺着し、口先部材５の後端面と前軸３の段部間に、筆記具のグリップ１を圧縮した状態で保持してある。さらに、軸筒本体内に、インキ収容筒８の先端部に、ボールペンチップ９を装着したボールペンレフィルをコイルスプリング１０によって後方に付勢して収納してあり、後軸３内に具備した回転カム６による出没機構によって、ノック体６を押圧することで、ボールペンチップ９を口先部材５の先端開口部５ａから出没可能としてある。
【００２１】
実施例２
図４、５に示す実施例２の筆記具のグリップ１１は、ショアー硬度がＨｓ（ＪＩＳ  Ａ）６０の半透明のオレフィン系熱可塑性エラストマーにて射出成形してある。また、グリップ１１の表面には、周方向に溝１２を複数本、形成して複数の板状突起１１ａを設け、この板状突起１１ａの側面１１ｂと天面１１ｄの交差する部分に、溝１２の底面１２ａに向かって延びる凹部１１ｃを複数個形成してある。
【００２２】
板状突起１１ａの側面１１ｂと天面１１ｄの交差する部分に、溝１２の底面１２ａ方向に向かって延びる凹部１２ｃを複数個形成することによって、板状突起１１ａが溝１２側に変形することによって生じる抵抗（軸心方向）に加え、周方向（溝１２と同一方向）への抵抗も付与されるため、滑り止め効果が向上する効果を奏する。
【００２３】
また、板状突起１１ａが変形する時の歪み、具体的には、板状突起１１ａの側面１１ｂと天面１１ｄの交差する部分への応力が、凹部１１ｃによって分散するため、この部分のクラックの発生を抑制することができる。
【００２４】
実施例３
図６、７に示す実施例３の筆記具のグリップ２１は、ショアー硬度がＨｓ（ＪＩＳ  Ａ）５０の半透明のシリコーンゴムにて押出成形してある。また、グリップ２１の表面には、軸心方向に沿って延びる溝２２を複数本、形成して複数の板状突起２１ａを設け、この板状突起２１ａの側面に、梨地状の微細な凸部２１ｃを形成してある。
【００２５】
板状突起２１ａの側面２１ｂに、微細な凸部２１cを多数形成することによって、板状突起２１が、溝２２側に変形することによって生じる抵抗（周方向）に加え、軸心方向（溝２２と同一方向）への抵抗も付与されるため、滑り止め効果が向上する効果を奏するとともに、成形性が良好となるため好ましい。
【００２６】
尚、微細な凸部２１ｃを形成するには、板状突起２１ａの側面２２ｂと溝２２の底面２２ａの両者に形成することが考えられるが、凸部２１ａを形成することによって、透明又は半透明のグリップにおいては内部の視認性が低下し、有色のグリップにおいては色調が変化するため、板状突起２１ａの側面２１ｂに設ける凸部２１ｃを溝２２の底面２２ａよりも密度を高く及び／又は粗にすることが好ましく、板状突起２１ａの天面や溝２２の底面２２ａには形成せず、板状突起２１ａの側面２１ｂのみに形成することが最も好ましい。
【００２７】
溝２２の幅は、グリップ２１の表面側に対し、溝２２の底面２２ａ側が幅狭（Ｌ＞Ｍ）になるように形成してあるので、溝２２の底面２２ａ側の剛性は高いまま、溝幅の大きいグリップ２１の表面側が変形し易くすることができる効果も奏する。
【００２８】
但し、板状突起の変形量が大きくなると、変形する部分に、応力が集中して、クラックが発生する恐れがあるため、グリップの表面側に対し、溝２２の底面２２ｂ側へ曲面状に溝幅を小さくして、溝幅の大きいグリップの表面側が変形しても応力を分散するため、この部分のクラックの発生を抑制することが好ましい。
【００２９】
尚、本実施例では、軸筒本体の把持部に装着するのに、予めグリップを成形してあるが、グリップは軸筒本体と２色成形により一体に形成してもよい。
【００３０】
また、板状突起の側面に形成する凹部及び／又は凸部の数、形状は特に限定するものではないが、凹部及び／又は凸部を曲面で形成することによって、応力が分散し易いため、前述したクラック等の劣化の発生を効果的に抑制することができるので好ましい。
【００３１】
さらに、凹部及び／又は凸部を非連続に形成することで、板状突起が溝側に変形することによって生じる抵抗に加え、溝の方向と同一方向への抵抗も付与されるので、好ましく、凹部及び／又は凸部を周方向及び／または軸心方向に延びる溝と垂直方向に形成することが最も好ましい。
【００３２】
本実施例では、便宜上、軸方向に対して平行又は軸方向に対して垂直の周方向に延びる溝を形成して板状突起を形成しているが、溝の形成位置、形状、数は特に限定されるものではなく、溝を交差して形成してもよい。また、軸方向に対し平行又は垂直状でなく、傾斜する溝であってもよいが、軸方向に対し平行又は垂直状に溝を形成することが製造上、最も好ましい。
【００３３】
凹部及び／又は凸部の大きさも特に限定されるものではなく、微細な梨地状の凹凸であってもよいが、凹部の最大深さ又は凸部の最大高さが、０．５ｍｍ未満であると、滑り止めの効果が少なく、５ｍｍを超えると、板状突起の幅又は板状突起間の幅が大きくなるため、好ましくは、０．５ｍｍ〜５ｍｍであり、１ｍｍ〜３ｍｍであることが最も好ましい。また、板状突起の両面に凹部及び／又は凸部を形成することが最も好ましいが、どちらか一方に形成してあればよい。
【産業上の利用可能性】
【００３４】
本発明の筆記具のグリップは、筆記体の種類やノック式、キャップ式に限定されることなく、軸筒の把持部に装着する筆記具のグリップとして広く実施可能である。
【００３５】
また、図示はしていないが、本発明のグリップは、二層構造の外側又は内側のグリップとして使用することもできる。
【図面の簡単な説明】
【００３６】
【図１】実施例１の筆記具のグリップを示す、斜視図である。
【図２】図１における筆記具のグリップの横断面図及び一部を拡大した図である。
【図３】実施例１の筆記具のグリップをノック式筆記具の軸筒に装着した状態を示す縦断面図である。
【図４】実施例２の筆記具のグリップを示す、縦断面図である。
【図５】図４におけるＡ−Ａ断面図及び一部を拡大した図である。
【図６】実施例３の筆記具のグリップを示す、斜視図である。
【図７】図６における筆記具のグリップの横断面図及び一部を拡大した図である。
【符号の説明】
【００３７】
１、１１、２１  筆記具のグリップ
１ａ、１１ａ、２１ａ  板状突起
１ｂ、１１ｂ、２１ｂ  側面
１ｃ、２１ｃ  凸部
２、１２、２２  溝
２ａ、１２ａ、２２ａ  底面
３  前軸
４  後軸
５  口先部材
５ａ  先端開口部
６  ノック体
７  回転カム
８  インキ収容筒
９  ボールペンチップ
１０  コイルスプリング
１１ｃ  凹部
【図１】
2009262392.tif 000003
【図２】
2009262392.tif 000004
【図３】
2009262392.tif 000005
【図４】
2009262392.tif 000006
【図５】
2009262392.tif 000007
【図６】
2009262392.tif 000008
【図７】
2009262392.tif 000009